(57)【要約】【課題】作業環境を向上させた籾摺選別機を提供する。【解決手段】シャッタ板を開閉させてフィード籾を籾摺部１１に供給制御する籾ホッパ２と、籾摺によって得られた籾殻を機外に排出させる吸引ファン１３とを備え、籾ホッパ２近傍に吸引口２６を備えるものである。加えて、吸引口２６は、吸引ファン１３にダクト２７を介して連通させ、シャッタ板の開閉と、吸引口２６の開閉とを連動させる。【選択図】図２
2007244978.tif 000002
【特許請求の範囲】
【請求項１】
シャッタ板を開閉させてフィード籾を籾摺部に供給制御する籾ホッパと、
前記籾摺部での籾摺りによって得られた籾殻を機外に排出させる吸引ファンと、
を備える籾摺選別機において、
前記籾ホッパ近傍に吸引口を備えることを特徴とする籾摺選別機。
【請求項２】
前記吸引口は、前記吸引ファンにダクトを介して連通させることを特徴とする、請求項
１に記載の籾摺選別機。
【請求項３】
前記シャッタ板の開閉と、前記吸引口の開閉とを連動させることを特徴とする、請求項
１に記載の籾摺選別機。
【発明の詳細な説明】
【技術分野】
【０００１】
本発明は、籾ホッパと、吸引ファンとを備える摺選別機に関して、より詳細にはフィード籾の籾塵を効率的に吸引除去しうる吸引口を備えた摺選別機に関する。
【背景技術】
【０００２】
従来の籾摺選別機には、籾摺後の混合米を貯留する混合米タンク内の混合米量に応じて、混合米タンク内に設けられた抵抗板の上下移動に伴い、この抵抗板に連動されるロッドにより、籾ホッパ（籾漏斗）下部に有するシャッタ板を、この籾ホッパ近傍に配した操作レバーにより開閉させ、籾ホッパから籾摺部へフィード籾の供給量調節を行うものがある（特許文献１）。
【０００３】
【特許文献１】特開平１１−３３４１９号公報
【発明の開示】
【発明が解決しようとする課題】
【０００４】
しかし、このような従来の籾摺選別機では、籾摺作業を行うため籾ホッパにフィード籾を供給する際、フィード籾から発生した籾塵を作業者が吸い込むことから、作業者はこのような悪い環境の中で作業を行う必要があった。
そこでこの発明の目的は、作業環境を向上させた籾摺選別機を提供することにある。
【課題を解決するための手段】
【０００５】
このため請求項１に記載の発明は、シャッタ板を開閉させてフィード籾を籾摺部に供給制御する籾ホッパと、前記籾摺部での籾摺りによって得られた籾殻を機外に排出させる吸引ファンとを備える籾摺選別機において、前記籾ホッパ近傍に吸引口を備えることを特徴とする。
【０００６】
請求項２に記載の発明は、請求項１に記載の籾摺選別機において、前記吸引口は、前記吸引ファンにダクトを介して連通させることを特徴とする。
【０００７】
請求項３に記載の発明は、請求項１に記載の籾摺選別機において、前記シャッタ板の開閉と、前記吸引口の開閉とを連動させることを特徴とする。
【発明の効果】
【０００８】
請求項１に記載の発明によれば、シャッタ板を開閉させてフィード籾を籾摺部に供給制御する籾ホッパと、籾摺部での籾摺りによって得られた籾殻を機外に排出させる吸引ファンとを備える籾摺選別機において、籾ホッパ近傍に吸引口を備えるので、フィード籾から発生した籾塵を機内に集塵させることができる。従って、作業環境を向上させた籾摺選別機を提供することができる。
【０００９】
請求項２に記載の発明によれば、吸引口は、吸引ファンにダクトを介して連通させるので、新たに集塵用の駆動装置を設ける必要がなく、吸引口から機内に集塵させた籾塵を吸引ファンにより作業者から離れた機外に排出することができる。従って、簡単な構造、かつ作業環境を向上させた籾摺選別機を提供することができる。
【００１０】
請求項３に記載の発明によれば、シャッタ板の開閉と、吸引口の開閉とを連動させるので、作業者が籾ホッパにフィード籾を供給する際、シャッタ板の閉扉に連動して吸引口が開口し、発生する籾塵を吸引口から機内に集塵することができる。従って、作業性を向上させた籾摺選別機を提供することができる。
【発明を実施するための最良の形態】
【００１１】
以下図面を参照しつつ本発明を実施するための最良の形態について説明する。
図１は、本発明の一例としての籾摺選別機の右側面図、図２は籾摺選別機の平面図、図３は籾摺選別機の正面図、図４は図１における籾摺機内部の側面模式図である。
【００１２】
この例の籾摺選別機１は、図１〜図３に示すように、機体上部中央に籾ホッパ２と、この籾ホッパ２の側面視背面には、混合米揚穀機３と混合米タンク４が連設される。さらに機体前端には、籾殻排出筒５および機体後端に玄米揚穀機６が備えられ、玄米揚穀機６の上部後端に仕上米出口９が設けられている。また、機体下部には粃搬送装置７と籾還元スロワ１６とが連設される。
【００１３】
図４に示すように、主軸１１ａと副軸１１ｂとからなる籾摺ロール１１ｃを有する籾摺部１１の下方には、籾摺ロール１１ｃで籾摺され、得られた粃や玄米などの混合米が通過する風選路１２ａを有する風選部１２が配設される。この籾摺ロール１１ｃ下方であって、風選路１２ａ終端下部の機体前部（側面視左端）には混合米に吸引作用する吸引ファン１３、この吸引ファン１３の後部（側面視右隣）であって、籾摺ロール１１ｃの下方には、風選路１２ａから混合米中の粃（小米を含む）が落下する粃排出樋１４、さらに粃排出樋１４の後部には、混合米中の籾や玄米が落下する混合米受樋１５などが列設される。
【００１４】
混合米受樋１５に落下した籾や玄米を搬送する図示しない螺旋の搬送終端側は、側面視機体背面側に立設され、複数のバケット３ａを備える混合米揚穀機３に連通し、この混合米揚穀機３の揚穀終端側は混合米タンク４に連通されている。
【００１５】
さらに、混合米タンク４の下方には混合米を搬送する渡し樋１７を有し、この渡し樋１７の下方には選別部１８が備えられる。この選別部１８は、渡し樋１７の搬送終端側に複数の流路からなる分配ケース１８ａと、分配ケース１８ａの側方に有し、多段からなる揺動選別板１８ｂと、揺動選別板１８ｂの前部および中央部にそれぞれ配設される籾仕切板１８ｃ、玄米仕切板１８ｄなどから構成される。
【００１６】
選別部１８の下方には、選別部１８の前部から順に籾用流路１９、混合米用流路２０、玄米用流路２１がそれぞれ配設される。そして、籾用流路１９の終端に有する返り籾入口部１６ａが、返り籾出口部１６ｂを介して側面視手前に備えられる図１に示す籾還元スロワ１６に連通され、この籾還元スロワ１６の上部は、籾摺部１１に連通される。また、混合米用流路２０と玄米用流路２１の間には玄米の機内循環と機外排出とを切り替える切替弁２２が設けられる。そして、機体後端には玄米用流路２１が下部に連設され、複数のバケット６ａを備える玄米揚穀機６が立設される。
【００１７】
なお、符号２３ａは、籾摺機１を運転操作する操作盤で、装置各部を駆動制御する不図示のコントローラが内臓されている。また、符号２３ｂは、籾ホッパ２底部に有する不図示のシャッタ板を開閉させる手動のシャッタレバーである。
【００１８】
ここで、籾摺選別機１を使用して籾摺作業を行うときは、籾ホッパ２に籾を供給し、操作盤２３の図示しないスイッチにより機体各部を駆動させ、籾ホッパ２底部に有するシャッタ板を開いて、籾摺ロール１１ｃに供給された籾が籾摺された後、落下した混合米は風選路１２ａで風選され、最も軽い籾殻は吸引ファン１３により吸引され、籾殻排出筒５を介して機外に排出される。
【００１９】
また、上記風選路１２ａで風選された比較的軽い粃（小米を含む）は、粃出口１４から排出され、粃出口１４に連通される粃搬送装置７内に流入した後、螺旋により返り籾入口部１６ａまで搬送され、返り籾出口部１６ｂより籾還元スロワ１６内に流入させることで、この粃を返り籾入口部１６ａより返り籾出口部１６ｂを介して籾還元スロワ１６内に流入する選別部１８からの返り籾と、籾還元スロワ１６内で合流させ、これら粃と籾との混合米が籾還元スロワ１６によって籾摺部１１に戻され、再度籾摺される。一方、重量の重い玄米と籾摺を損ねた籾との混合米は受樋１５に落下し、混合米揚穀機３で揚穀されて混合米タンク４に供給された後、渡し樋１７および分配ケース１８ａを介して揺動選別板１８ｂに供給される。
【００２０】
混合米は、揺動選別板１８ｂでの揺動により、小さく比重の重い玄米は揺上側に、また玄米よりも大きく比重の軽い籾は揺下側に、さらに中間部分には分離されない籾と玄米との混合米がそれぞれ偏流分布しながら選別される。
【００２１】
揺動選別板１８ｂで選別された玄米などの穀粒は、籾仕切板１８ｃと玄米仕切板１８ｄで仕切られ、揺動選別板１８ｂより排出される。このとき、切替弁２２は揺動選別板１８ｂ上での穀粒の偏流分布が不安定な際、混合米用流路２０と玄米用流路２１との間を連通させて、混合米と玄米を再度受樋１５に流入させるようにするが、揺動選別板１８ｂ上での穀粒の偏流分布が安定すると、混合米用流路２０と玄米用流路２１との間を遮断させるように切り替えられる。
【００２２】
その結果、混合米が混合米用流路２０を落下し、受樋１５を介して再度選別部１８に搬送され、玄米は玄米用流路２１から玄米揚穀機２３を介して機外に取り出される。また、籾は籾用流路１９から返り籾入口部１６ａを経て、この返り籾入口部１６ａの下方であって、返り籾入口部１６ａに連通される返り籾出口部１６ｂから流入した籾還元スロワ１６を介して籾摺部１１に還元され、再度籾摺される。
【００２３】
次に、本願発明の特徴である集塵部について、その具体的構成を説明する。上記図１〜４に示されるように、集塵部２５は、機体前端と籾殻排出筒５との間であって、機体前端に幅広く固設され、その上端には吸引口２６を備える。この吸引口２６から下方は、集塵部２５枠内に空洞を有するダクト２７が機体下部に有する吸引ファン１３を介して籾殻排出筒５に連通される。
【００２４】
吸引口２６は、例えば、格子状に配設された二層板からなり、それぞれの上層または下層の一方が固定板２６ａ、他方が摺動される摺動板２６ｂであって、この摺動板２６ｂを、籾ホッパ２底部に有するシャッタ板を開閉させるシャッタレバー２３ｂに不図示のワイヤーやリンク機構などで連動させ、吸引口２６が開閉されるスライド式の開口部を有する構成となっている。
【００２５】
ここで、籾摺作業を始める際、シャッタレバー２３ｂを閉にすることで籾ホッパ２のシャッタ板が閉じられるとともに、シャッタレバー２３ｂに連動されるリンク機構により摺動板２６ｂが固定板２６ａに重なるように摺動され、吸引口２６が開口される。このとき、装置全体が駆動状態であるため、吸引ファン１３も駆動されている。
【００２６】
そして、籾袋から直接、または図示しない籾タンクから専用の搬送路でフィード籾を籾ホッパ２に供給する際、フィード籾から発生される籾塵が、吸引口２６より吸引され、ダクト２７を介して籾ホッパ２から離れた位置に有する籾殻排出筒５より機外へ排出されるため、籾ホッパ２近傍でフィード籾の供給作業をしている作業者が籾塵を直接吸い込むことがなく、環境安全が向上される。なお、籾殻排出筒５の長さを設けて、籾殻排出筒５の排出口を籾ホッパ２からさらに離してもよい。
【００２７】
また、籾ホッパ２にフィード籾の供給を終え、フィード籾を籾摺部１１に供給する際シャッタ板を開くため、シャッタレバー２３ｂを開にすることで、リンク機構により摺動板２６ｂが摺動して吸引口２６が閉じられ、不要な異物の吸い込みが防止される。
【００２８】
また、図５に示すように、吸引口２６のスライド式の開口部を、ダクト２７の中途部に有する開閉板に替えることもできる。この場合、吸引口２６は、ダクト２７内に籾塵以外の比較的大きな異物が落下して詰まらないようにするため、格子状や網状にすることが望ましい。
【００２９】
そして、ダクト２７内の上部であって、ダクト２７の後板２７ｂ（操作盤２３ａ側）に、上端２８ａを固定し、この上端２８ａを軸にして前方に摺動可能、かつダクト２７幅と同じ幅を有する開閉板２８が設けられる。さらに、開閉板２８とシャッタレバー２３ｂとの間にはリンク機構２９を連係させる。
【００３０】
これらより、シャッタレバー２３ｂを閉にすることで、リンク機構２９が後方に移動し、開閉板２８が後板２７ｂに当接される垂直位置に摺動させてダクト２７が開口され、シャッタレバー２３ｂを開にすると、リンク機構２９が前方に移動し、開閉板２８の下端がダクト２７の前板２７ａに当接されるまで摺動され、ダクト２７が閉じられる。
【００３１】
さらに、図６（ａ），（ｂ）に示すように、籾殻排出筒５´が機体中央近傍であって籾ホッパ２の後部に隣接して設けられる籾摺選別機１´では、集塵部２５´を籾ホッパ２の右側面に取付けることもできる。この場合、前述したような格子状などのスライド式開口部を有する吸引口２６´が、籾ホッパ２と操作盤２３ａとの間であって、籾ホッパ２に隣接させた側面視左右方向に備えられる。
【００３２】
また、吸引口２６´の下方には、機体内部の中央近傍に有する吸引ファン１３´に向けて、円筒形や四角筒形などの形状を有するダクト２７´が延設され、このダクト２７´が吸引ファン１３´を介して籾殻排出筒５´に連通される。そして、上記同様にシャッタレバー２３ｂと吸引口２６´とが不図示のリンク機構などで連動される。
【００３３】
これらにより、フィード籾供給時にシャッタレバー２３ｂを閉にすることで、リンク機構２９により吸引口２６´が開かれ、吸い込まれた籾塵がダクト２７´を介して籾殻排出筒５´から籾ホッパ２より離れた機外に排出される。また、シャッタレバー２３ｂを開にすると、吸引口２６´が閉じられる。
【００３４】
なお、上述のように吸引口２６´の開口部は、スライド式に限定されず、網状などの固定式であってもよい。その場合には、ダクト２７´内に、シャッタレバー２３ｂとの間でリンク機構２９を連係させたダクト２７´幅と同じ幅を有する開閉板２８´を設けることもできる。
【００３５】
以上詳述したように、この例の籾摺選別機１は、シャッタ板を開閉させてフィード籾を籾摺部１１に供給制御する籾ホッパ２と、籾摺によって得られた籾殻を機外に排出させる吸引ファン１３とを備え、籾ホッパ２近傍に吸引口２６を備えるものである。加えて、吸引口２６は、吸引ファン１３にダクト２７を介して連通させ、シャッタ板の開閉と、吸引口２６の開閉とを連動させる。
【図面の簡単な説明】
【００３６】
【図１】本発明の籾摺選別機の一例を示す側面図である。
【図２】本発明の籾摺選別機の平面図である。
【図３】本発明の籾摺選別機の正面図である。
【図４】図１の籾摺選別機の内部構造を示す模式図である。
【図５】シャッタレバーと開閉板との連係を示す模式図である。
【図６】籾殻排出筒を機体中央近傍に備える別の例を示す籾摺選別機の（ａ）は平面図、（ｂ）は側面模式図である。
【符号の説明】
【００３７】
１，１´    籾摺選別機
２    籾ホッパ
５，５´    籾殻排出筒
１１    籾摺部
１３，１３´    吸引ファン
２３ａ    操作盤
２３ｂ    シャッタレバー
２５，２５´    集塵部
２６，２６´    吸引口
２６ａ    固定板
２６ｂ    摺動板
２７，２７´    ダクト
２７ｂ    後板
２８，２８´    開閉板
２８ａ    上端
２９    リンク機構
【図１】
2007244978.tif 000003
【図２】
2007244978.tif 000004
【図３】
2007244978.tif 000005
【図４】
2007244978.tif 000006
【図５】
2007244978.tif 000007
【図６】
2007244978.tif 000008